(57)【要約】【課題】液体浄化手段の目詰まり時に、その目詰まりを解消する逆洗の方法として効果的なものが無く、効果的な逆洗方法が求められていた。【解決手段】【請求項１】浄化手段７として、顆粒状またはペレット状の複数の固形体１１を第１，第２の多孔体９，１０間に積層設置して構成し、被浄化液体を固形体１１の相互間隙に流通させ、被浄化液体中の異物を固形体１１の相互間隙で捕捉するようにし、浄化手段７の目詰まり時に、被浄化液体または浄化後の液体を、浄化時の流通方向と逆方向に流して、固形体１１の相互間隙に捕捉された被浄化液体中の異物を逆洗して取り除くようにした。【選択図】      図１
2004306003.tif 000002
【特許請求の範囲】
【請求項１】
多孔体間に積層して設置された顆粒状またはペレット状の複数の固形体からなり、前記固形体の相互間隙に被浄化液体を流通させ、前記被浄化液体中の異物を前記固形体の相互間隙で捕捉する浄化手段を備え、
前記浄化手段の目詰まり時に、被浄化液体または浄化後の液体を、浄化時の流通方向と逆方向に流して、前記固形体の相互間隙に捕捉された前記被浄化液体中の異物を逆洗して取り除くようにしたことを特徴とする液体浄化装置。
【請求項２】
多孔体間に積層して設置され、少なくとも塩基性硫酸マグネシュウムと水酸化マグネシュウムとの結晶状繊維を集合して顆粒状もしくはペレット状に形成された複数の凝集作用体からなり、前記凝集作用体の相互間隙に被浄化液体を流通させ、前記被浄化液体中の異物を凝集する凝集手段を備え、
前記凝集手段の目詰まり時に、被浄化液体または浄化後の液体を、浄化時の流通方向と逆方向に流して、前記凝集作用体の相互間隙に捕捉された前記被浄化液体中の異物を逆洗して取り除くようにしたことを特徴とする液体浄化装置。
【請求項３】
多孔体間に積層して設置された顆粒状またはペレット状の複数の第１の固形体からなり、前記第１の固形体の相互間隙に被浄化液体を流通させ、前記被浄化液体中の異物を前記第１の固形体の相互間隙で捕捉する前処理浄化手段と、
多孔体間に積層して設置され、少なくとも塩基性硫酸マグネシュウムと水酸化マグネシュウムとの結晶状繊維を集合して顆粒状もしくはペレット状に形成された複数の凝集作用体からなり、前記凝集作用体の相互間隙に前記前処理浄化手段で浄化された被浄化液体を流通させ、前記被浄化液体中の異物を凝集する凝集手段と、
多孔体間に積層して設置された顆粒状またはペレット状の複数の第２の固形体からなり、前記凝集手段で混入異物が凝集された被浄化液体を前記第２の固形体の相互間隙に流通させ、前記凝集された混入異物を前記第２の固形体の相互間隙で捕捉する後処理浄化手段とを備え、
前記前処理浄化手段または前記凝集手段もしくは前記後処理浄化手段の目詰まり時に、被浄化液体または浄化後の液体を、浄化時の流通方向と逆方向に流して、前記第１の固形体または前記凝集作用体もしくは前記第２の固形体の相互間隙に捕捉された被浄化液体中の異物を逆洗して取り除くようにしたことを特徴とする液体浄化装置。
【発明の詳細な説明】
【０００１】
この発明は、例えば、鉄、タングステン等の研磨液等の浄化において、浄化手段の目詰まり時に逆洗して目詰まりを解消するようにした液体浄化装置に関するものである。
【０００２】
現在、液体浄化手段の目詰まり時の逆洗は、液体を流通させる狭い貫通孔の流入側口径を大きくし、流出側口径を小さくして、貫通孔の目詰まり時に、液体を貫通孔内に浄化時とは逆方向に流して行なわれている。
また他の方法として、液体を流通させる貫通孔の口径を被浄化液体中の異物に比較して極力小さくし、被浄化液体を貫通孔の表面に沿って貫通孔とほぼ直交する方向に流し、貫通孔の表面を洗いながら被浄化液体の一部を、浸透圧で貫通孔に流入させて浄化している。
【０００３】
【発明が解決しようとする課題】
しかしながら、貫通孔の流入側口径を大きくし、流出側口径を小さくしたものにあっては、被浄化液体中の異物が粘性を有している場合、逆洗が効果的に作用しない課題があった。
また、貫通孔の口径を極力小さくし、浸透圧で浄化するものにあっては、被浄化液体の流量の５％〜１０％が浄化出来るのみで、効率が非常に悪い課題があった。
【０００４】
この発明は上記の如き従来の要求を満たすためになされたもので、
【請求項１】の発明は、浄化手段として、顆粒状またはペレット状の複数の固形体を多孔体間に積層設置して構成し、被浄化液体を固形体の相互間隙に流通させ、被浄化液体中の異物を固形体の相互間隙で捕捉するようにし、浄化手段の目詰まり時に、被浄化液体または浄化後の液体を、浄化時の流通方向と逆方向に流して、固形体の相互間隙に捕捉された被浄化液体中の異物を逆洗して取り除くようにして実現した。
【請求項２】の発明は、凝集手段として、少なくとも塩基性硫酸マグネシュウムと水酸化マグネシュウムとの結晶状繊維を集合して顆粒状もしくはペレット状に形成された複数の凝集作用体を、多孔体間に積層設置して構成し、被浄化液体を凝集作用体の相互間隙に流通させて被浄化液体中の微粒子を凝集させ、凝集手段の目詰まり時に、被浄化液体または浄化後の液体を、浄化時の流通方向と逆方向に流して、凝集作用体の相互間隙に捕捉された被浄化液体中の異物を逆洗して取り除くようにして実現した。
【請求項３】の発明は、前処理浄化手段として、顆粒状またはペレット状の複数の第１の固形体を多孔体間に積層設置して構成し、被浄化液体を第１の固形体の相互間隙に流通させて、被浄化液体中の異物を第１の固形体の相互間隙で捕捉し、凝集手段として、少なくとも塩基性硫酸マグネシュウムと水酸化マグネシュウムとの結晶状繊維を集合して顆粒状もしくはペレット状に形成された複数の凝集作用体を、多孔体間に積層設置して構成し、前記前処理浄化手段で浄化された被浄化液体を凝集作用体の相互間隙に流通させて被浄化液体中の微粒子を凝集させ、後処理浄化手段として、顆粒状またはペレット状の複数の第２の固形体を多孔体間に積層設置して構成し、前記凝集手段で異物が凝集された被浄化液体を第２の固形体の相互間隙に流通させ、凝集された異物を第２の固形体の相互間隙で捕捉し、前記前処理浄化手段または前記凝集手段もしくは前記後処理浄化手段の目詰まり時に、被浄化液体または浄化後の液体を、浄化時の流通方向と逆方向に流して、前記第１の固形体または前記凝集作用体もしくは前記第２の固形体の相互間隙に捕捉された被浄化液体中の異物を、逆洗して取り除くようにして実現した。
【０００５】
【発明を解決しようとする手段】
【請求項１】の発明は、多孔体間に積層して設置された顆粒状またはペレット状の複数の固形体からなり、固形体の相互間隙に被浄化液体を流通させ、被浄化液体中の異物を固形体の相互間隙で捕捉する浄化手段を備え、浄化手段の目詰まり時に、被浄化液体または浄化後の液体を、浄化時の流通方向と逆方向に流して、固形体の相互間隙に捕捉された被浄化液体中の異物を逆洗して取り除くようにした液体浄化装置を提供する。
【請求項２】の発明は、多孔体間に積層して設置され、少なくとも塩基性硫酸マグネシュウムと水酸化マグネシュウムとの結晶状繊維を集合して顆粒状もしくはペレット状に形成された複数の凝集作用体からなり、凝集作用体の相互間隙に被浄化液体を流通させ、被浄化液体中の異物を凝集する凝集手段を備え、凝集手段の目詰まり時に、被浄化液体または浄化後の液体を、浄化時の流通方向と逆方向に流して、凝集作用体の相互間隙に捕捉された被浄化液体中の異物を逆洗して取り除くようにした液体浄化装置を提供する。
【請求項３】の発明は、多孔体間に積層して設置された顆粒状またはペレット状の複数の第１の固形体からなり、第１の固形体の相互間隙に被浄化液体を流通させ、被浄化液体中の異物を第１の固形体の相互間隙で捕捉する前処理浄化手段と、多孔体間に積層して設置され、少なくとも塩基性硫酸マグネシュウムと水酸化マグネシュウムとの結晶状繊維を集合して顆粒状もしくはペレット状に形成された複数の凝集作用体からなり、凝集作用体の相互間隙に前処理浄化手段で浄化された被浄化液体を流通させ、被浄化液体中の異物を凝集する凝集手段と、多孔体間に積層して設置された顆粒状またはペレット状の複数の第２の固形体からなり、凝集手段で混入異物が凝集された被浄化液体を前記第２の固形体の相互間隙に流通させ、凝集された混入異物を前記第２の固形体の相互間隙で捕捉する後処理浄化手段とを備え、前処理浄化手段または凝集手段もしくは後処理浄化手段の目詰まり時に、被浄化液体または浄化後の液体を、浄化時の流通方向と逆方向に流して、第１の固形体または凝集作用体もしくは第２の固形体の相互間隙に捕捉された被浄化液体中の異物を逆洗して取り除くようにした液体浄化装置を提供する。
【０００６】
【実施例】
以下この発明の一実施例を図について説明する。図１は、この発明の一実施例を示すブロック線図である。図において、タンク１は、ダーティタンク２とクリーンタンク３とに分離され、ダーティタンク２には配管４から、例えば、工作機からの研削液等の被浄化液体が流入する。ダーティタンク２内の被浄化液体は、ポンプ５によってバルブ６を介して前処理浄化手段７に送り込まれる。前処理浄化手段７は、円筒状の容器８と、容器８内に同芯軸に設置された円筒状の第１，第２の多孔体９，１０と、第１，第２の多孔体９，１０間に積層して設置された顆粒状またペレット状の複数の第１の固形体１１とから構成されている。
【０００７】
図２は、第１の固形体１１の一例を示す写真で、例えば、直径０．５ｍｍ〜５ｍｍの、例えば、球状のポリプロピレンの固形体からなっており、第１，第２の多孔体９，１０間に、例えば、厚み２０ｍｍで充填されている。
ポンプ５によって容器８内に送り込まれた被浄化液体は、第１の多孔体９→第１の固形体１１の相互間隙→第２の多孔体１０を経て、バルブ１２を介して凝集手段１３に流入する。
なお、被浄化液体が第１の固形体１１の相互間隙を通過する際、被浄化液体中の異物は、第１の固形体１１の相互間隙で捕捉される。
凝集手段１３は、円筒状の容器１４と、容器１４内に同芯軸に設置された円筒状の第３，第４の多孔体１５，１６と、第３，第４の多孔体１５，１６間に積層して設置され、少なくとも塩基性硫酸マグネシュウムと水酸化マグネシュウムとの結晶状繊維を集合して顆粒状もしくはペレット状に形成された複数の凝集作用体１７とから構成されている。
【０００８】
図３は、凝集作用体１７の一例を示す写真で、例えば、直径２ｍｍ〜５ｍｍ、長さ３ｍｍ〜５ｍｍの円柱状に構成され、第３，第４の多孔体１５，１６間に、例えば、厚み２０ｍｍで充填されている。
前処理浄化手段７で大まかな異物が除去されて後、容器１４内に流入した被浄化液体は、第３の多孔体１５→凝集作用体１７の相互間隙→第４の多孔体１６を経て、バルブ１８を介して後処理浄化手段１９に流入する。
なお、被浄化液体が凝集作用体１７の相互間隙を通過する際、被浄化液体中の異物の相互間距離は、お互いに引力が作用して凝集する距離まで近づき、凝集され数百倍の大きな塊となって後処理浄化手段１９に流入する。
【０００９】
後処理浄化手段１９は、円筒状の容器２０と、容器２０内に同芯軸に設置された円筒状の第５，第６の多孔体２１，２２と、第５，第６の多孔体２１，２２間に積層して設置された顆粒状またペレット状の複数の第２の固形体２３とから構成されている。
第２の固形体２３も第１の固形体１１と同様に、図２の写真で示すように、例えば、直径０．５ｍｍ〜５ｍｍの、例えば、球状のポリプロピレンの固形体からなっており、第５，第６の多孔体２１，２２間に、例えば、厚み２０ｍｍで充填されている。
【００１０】
凝集手段１３によって含有異物が数百倍の大きな塊となった被浄化液体は、後処理浄化手段１９内に流入し、第５の多孔体２１→第２の固形体２３の相互間隙→第６の多孔体２２を経てバルブ２４を介してクリーンタンク３内に流入する。
このように浄化されたクリーンタンク３内の浄化液体は、配管２５により、例えば、工作機等に送り込まれる。
【００１１】
次に、前処理浄化手段７が目詰まりするとポンプ５を停止し、バルブ６，１２を閉じ、バルブ２６，２７を開いて後、ポンプ５を再起動する。
このポンプ５の再起動により、被浄化液体は、ダーティタンク２→ポンプ５→バルブ２６→第２の多孔体１０→第１の固形体１１→第１の多孔体９→バルブ２７→バッグフイルタ２８→ダーティタンク２の閉回路を流れ、容器８内には浄化時と逆方向に被浄化液体が流れ、第１の固形体１１の相互間隙に捕捉されていた異物を逆洗して容器８外に流出させ、バッグフイルタ２８で捕捉した後、ダーティタンク２に流入させる。
なお、第１，第２の多孔体９，１０間に設置される第１の固形体１１の充填を、少し空隙を持たせることにより、逆洗効果を高めることが出来る。
【００１２】
次に、凝集手段１３が目詰まりすると、ポンプ５を停止し、バルブ６，１８を閉じ、バルブ２９，３０を開いて後、ポンプ５を再起動する。
このポンプ５の再起動により、被浄化液体は、ダーティタンク２→ポンプ５→バルブ２９→第４の多孔体１６→凝集作用体１７→第３の多孔体１５→バルブ３０→バッグフイルタ２８→ダーティタンク２の閉回路を流れ、容器１４内には浄化時と逆方向に流れ、凝集作用体１７の相互間隙に捕捉されていた異物を逆洗して、容器１４外に流出させ、バッグフイルタ２８で捕捉した後、ダーティタンク２に流入させる。
なお、第３，第４の多孔体１５，１６間に設置される凝集作用体１７の充填を、少し空隙を持たせることにより、逆洗効果を高めることが出来る。
【００１３】
次に、後処理浄化手段１９が目詰まりすると、ポンプ５を停止し、バルブ６，２４を閉じ、バルブ３１，３２を開いて後、ポンプ５を再起動する。
このポンプ５の再起動により、被浄化液体は、ダーティタンク２→ポンプ５→バルブ３１→第６の多孔体２２→第２の固形体２３→第５の多孔体２１→バルブ３２→バッグフイルタ２８→ダーティタンク２の閉回路を流れ、容器１９内には浄化時と逆方向に流れ、第２の固形体２３の相互間隙に捕捉されていた異物を逆洗して、容器１９外に流出させ、バッグフイルタ２８で捕捉した後、ダーティタンク２に流入させる。
なお、第５，６の多孔体２１，２２間に設置される第２の固形体２３の充填を、少し空隙を持たせることにより、逆洗効果を高めることが出来る。
【００１４】
図４は、第１，第２の固形体１１，２３の他の実施例を示す写真で、例えば、直径０．５ｍｍ〜５ｍｍの、例えば、水酸化マグネシュウムの固形体からなっている。
凝集作用体１７は、その保有するマグネシュウムイオンを、被浄化液体中に濃度約５ｐｐｍになるように流出し続け、その保有するマグネシュウムイオンが無くなると凝集作用を行なわなくなる。
このため、第１，第２の固形体１１，２３として、水酸化マグネシュウムの固形体を用いることにより、凝集作用体１７からのマグネシュウムイオンの流出を補うことが出来る。
【００１５】
なお、上記実施例では、第１，第２の固形体１１，２３として、ポリプロピレンもしくは水酸化マグネシュウムの固形体を用いた場合について説明したが、どのような材質の固形体であっても良く、また、その大きさ・形状は、被浄化液体中の異物の大きさによって変更することが可能である。
また、第１，第２，第３，第４，第５，第６の多孔体９，１０，１５，１６，２１，２２として、金網等のメッシュ状体、濾紙、フイルタ等、孔を多数有するものであれば、どの様な物であってもよい。
なおまた、上記実施例では、ダーティタンク２内の被浄化液体で逆洗する場合について説明したが、別途ポンプを設け、クリーンタンク３内の浄化液体で逆洗するようにしてもよい。
【発明の効果】
以上のように、
【請求項１】の発明によれば、浄化手段として、顆粒状またはペレット状の複数の固形体を多孔体間に積層設置して構成し、被浄化液体を固形体の相互間隙に流通させ、被浄化液体中の異物を固形体の相互間隙で捕捉するようにし、浄化手段の、目詰まり時に、被浄化液体または浄化後の液体を、浄化時の流通方向と逆方向に流して、固形体の相互間隙に捕捉された被浄化液体中の異物を逆洗して取り除いているため、効果的に逆洗することができる。
【請求項２】の発明は、凝集手段として、少なくとも塩基性硫酸マグネシュウムと水酸化マグネシュウムとの結晶状繊維を集合して顆粒状もしくはペレット状に形成された複数の凝集作用体を、多孔体間に積層設置して構成し、被浄化液体を凝集作用体の相互間隙に流通させて被浄化液体中の微粒子を凝集させ、凝集手段の目詰まり時に、被浄化液体または浄化後の液体を、浄化時の流通方向と逆方向に流して、凝集作用体の相互間隙に捕捉された被浄化液体中の異物を逆洗して取り除いているため、効果的に逆洗することができる。
【請求項３】の発明は、前処理浄化手段として、顆粒状またはペレット状の複数の第１の固形体を多孔体間に積層設置して構成し、被浄化液体を第１の固形体の相互間隙に流通させて、被浄化液体中の異物を第１の固形体の相互間隙で捕捉し、凝集手段として、少なくとも塩基性硫酸マグネシュウムと水酸化マグネシュウムとの結晶状繊維を集合して顆粒状もしくはペレット状に形成された複数の凝集作用体を、多孔体間に積層設置して構成し、前記前処理浄化手段で浄化された被浄化液体を凝集作用体の相互間隙に流通させて被浄化液体中の微粒子を凝集させ、後処理浄化手段として、顆粒状またはペレット状の複数の第２の固形体を多孔体間に積層設置して構成し、前記凝集手段で異物が凝集された被浄化液体を第２の固形体の相互間隙に流通させ、凝集された異物を第２の固形体の相互間隙で捕捉し、前記前処理浄化手段または前記凝集手段もしくは前記後処理浄化手段の目詰まり時に、被浄化液体または浄化後の液体を、浄化時の流通方向と逆方向に流して、前記第１の固形体または前記凝集作用体もしくは前記第２の固形体の相互間隙に捕捉された被浄化液体中の異物を、逆洗して取り除いているため、効果的に逆洗することができる。
【図面の簡単な説明】
【図１】この発明に係る液体浄化装置の一実施例を示すブロック線図である。
【図２】図１に示す第１，第２の固形体の一実施例を示す写真である。
【図３】図１に示す凝集作用体の一実施例を示す写真である。
【図４】図１に示す第１，第２の固形体の他の実施例を示す写真である。
【符号の説明】
７          ：前処理浄化手段
９，１０    ：第１，第２多孔体
１１        ：第１の固形体
１３        ：凝集手段
１５，１６  ：第３，第４の多孔体
１７        ：凝集作用体
１９        ：後処理浄化手段
２１，２２  ：第５，第６の多孔体
２３        ：第２の固形体
【図１】
2004306003.tif 000003
【図２】
2004306003.tif 000004
【図３】
2004306003.tif 000005
【図４】
2004306003.tif 000006